(57)【要約】【課題】各種物品を収納できるとともに、通常は操作を行わない機器を効率よく収納することができるだけでなく、各種ケーブルの配線も容易に行うことができ、見栄えも良好な電話台を提供する。【解決手段】正面側から物品の出し入れを可能な引き出しなどの収納部７を有する本体部６の天板上面に電話機などを設置する機器載置部１４を設け、本体部の背板５の背面側にモデムやルーターなどを収納する上下複数段の機器収納棚８を設ける。また、天板の背面部及び機器収納棚の背面部にケーブル挿通部１７を設ける。【選択図】図２
0003154174.tif 000002
【実用新案登録請求の範囲】
【請求項１】
正面側から物品の出し入れを可能な収納部を有する本体部の天板上面に機器載置部を設け、前記本体部の背板の背面側に上下複数段の機器収納棚を設けるとともに、前記天板の背面部及び前記機器収納棚の背面部にケーブル挿通部を設けたことを特徴とする電話台。
【請求項２】
前記機器収納棚の棚板の背面側への突出寸法は、前記本体部の背面側への突出寸法より小さく形成されていることを特徴とする請求項１記載の電話台。
【請求項３】
前記機器収納棚は、該機器収納棚に収納した物品の落下を防止するための落下防止具を有していることを特徴とする請求項１又は２記載の電話台。
【請求項４】
前記機器収納棚の一部にテーブルタップ設置部が設けられていることを特徴とする請求項１乃至３のいずれか１項記載の電話台。
【請求項５】
前記本体部の底面にキャスターが設けられていることを特徴とする請求項１乃至４のいずれか１項記載の電話台。
【考案の詳細な説明】
【技術分野】
【０００１】
本考案は、電話台に関し、詳しくは、収納部の天板上面に電話機やファクシミリを載置する機器載置部を有する電話台に関する。
【背景技術】
【０００２】
天板上面に電話機やファクシミリを載置する電話台として、引き出しや収納棚を備えたものが広く用いられている。また、正面に操作部を有する録画用機器などの情報家電機器と、上面に操作部を有するファクシミリなどの情報家電機器とを効率よく収納可能とした収納家具も提案されている（例えば、特許文献１参照）。
【先行技術文献】
【特許文献】
【０００３】
【特許文献１】特開２０００−１８４９１５号公報
【考案の概要】
【考案が解決しようとする課題】
【０００４】
特許文献１に記載された収納家具では、初期設定を行った後にはほとんど手を触れることがないモデムやルータなどの機器も他の情報家電機器と同じように収納しているため、スペースが無駄になったり、見栄えが悪いという問題がある。
また、情報家電機器は、電源ケーブル、電話線、機器間を接続するケーブルも多いため、これらの配線作業が面倒であり、特に、棚板や背板に設けた挿通口を通しての配線作業は極めて面倒である。また、棚板前面に配線が露出すると見栄えを大きく損ねることになる。さらに、下部が引き出し形式となっている電話台では、引き出し内にモデムを収納することができないため、電話線を引き回して電話機とモデムとを別々に設置する必要があり、配線作業が面倒であるだけでなく、配線が室内に露出するために見栄えもよくなかった。
【０００５】
そこで本考案は、各種物品を収納できるとともに、通常は操作を行わないモデムやルータなどの機器類を効率よく収納することができるだけでなく、各種ケーブルの配線も容易に行うことができ、見栄えも良好な電話台を提供することを目的としている。
【課題を解決するための手段】
【０００６】
上記目的を達成するため、本考案の電話台は、正面側から物品の出し入れを可能な収納部を有する本体部の天板上面に機器載置部を設け、前記本体部の背板の背面側に上下複数段の機器収納棚を設けるとともに、前記天板の背面部及び前記機器収納棚の背面部にケーブル挿通部を設けたことを特徴としている。
【０００７】
さらに、本考案の電話台においては、前記機器収納棚の棚板の背面側への突出寸法を、前記本体部の背面側への突出寸法より小さく形成することが好ましく、機器収納棚に収納した物品の落下を防止するための落下防止具を設けることが好ましい。また、機器収納棚の一部にテーブルタップ設置部を設けておくことが好ましく、本体部の底面にキャスターを設けておくこともできる。
【考案の効果】
【０００８】
本考案の電話台によれば、ケーブル接続などの初期設定を行った後はほとんど操作を行う必要のないモデムやルータなどの機器類を本体部背面の機器収納棚に収納することができる。また、背面部にケーブル挿通部を設けているので、電源ケーブル、電話線、通信ケ
ーブルなどのケーブルの配線も容易に行うことができる。
【０００９】
また、棚板の突出寸法を底板や天板より小さくすることにより、電話台背面を壁に密着させた状態でもケーブルが損傷することはなく、通気性も得られるため、機器の発熱を抑えることができる。さらに、落下防止具を設けることによって電話台を移動させるときなどに機器が機器収納棚から落下することを防止できる。
また、テーブルタップ設置部を設けておくことにより、壁などに設けたコンセントからの電源ケーブルを１本のみとすることが可能となり、外部に露出するケーブルの本数を少なくすることができる。さらに、キャスターを設けておくことによって電話台を容易に移動することができ、電話台の設置や清掃などを容易に行うことができる。特に、正面側の収納部は、ケーブルを接続する機器を収納する必要がないため、収納部に引き出しを設けることができ、各種物品に適した形式の収納部を設けることが可能となる。
【図面の簡単な説明】
【００１０】
【図１】本考案の電話台の一形態例を示す背面側からの斜視図である。
【図２】本考案の電話台の一形態例を示す断面側面図である。
【図３】同じく機器類を収納した状態を示す背面側からの斜視図である。
【考案を実施するための形態】
【００１１】
本形態例に示す電話台１は、上下一対の天板２及び底板３と、左右一対の側板４，４と、背面側の背板５とによって箱形の本体部６を形成したものであって、背板５は、天板２や底板３などの後端より前方に位置しており、背板５の前方に収納部７が設けられ、背板５の後方に背面が開放した機器収納棚８が設けられている。収納部７には、下から順に、開き戸式収納部９、上下２段の引き出し式収納部１０，１０、前面が開口した開放式収納部１１、最上段の引き出し式収納部１２が設けられており、開き戸式収納部９の内部には、上下位置調節可能な棚板９ａが設けられている。また、天板２の上面は平坦であり、電話機やファクシミリ、あるいは、電話機能、ファクシミリ機能、コピー機能、プリンタ機能などを備えた複合機１３を設置するための機器載置部１４となっている。
【００１２】
機器収納棚８は、背板５から後方に突出した側板４，４間に上下２枚の棚板８ａを設けることにより、天板２と底板３との間に、上側２段の機器収納部１５，１５と、最下段の底板３上となる部分のテーブルタップ設置部１６とを形成している。各棚板８ａ及び底板３の背面側への突出寸法は、本体部６における天板２及び側板４の突出寸法より小さく形成されており、天板２及び側板４の後端を壁に密着させたときに、棚板８ａの後端及び底板３の後端と壁との間にケーブル挿通部１７となる隙間が形成されるようになっている。さらに、天板２の後端中央部には、ケーブル挿通部となる切欠部２ａが形成されており、側板４の下端部にも、ケーブル挿通部となる切欠部４ａが形成されている。また、機器収納部１５の背面開口部には、側板４，４に掛け渡された棒材からなる落下防止具１８が設けられている。なお、テーブルタップ設置部１６の背面側端部には、載置したテーブルタップ２４が背面側へ落下しないよう、例えば、高さ・奥行の寸法が５ミリメートル程度の落下防止柵や落下防止壁（図示せず）を設けることが好ましい。
【００１３】
このように形成された電話台１は、前記機器載置部１４に前述の複合機１３など、日常的に操作を行う機器類を設置し、本体部背面の機器収納棚８の機器収納部１５にモデム２１やルーター２２など、設置したときに初期設定を行った後にはほとんど操作を行う必要がない機器類を設置する。各機器の電源ケーブル２３は、天板後端中央部の切欠部２ａ及び棚板後端のケーブル挿通部１７を通してテーブルタップ設置部１６に設置したテーブルタップ２４のコンセントにそれぞれ接続する。また、テーブルタップ２４の電源ケーブル２５は、底板後端のケーブル挿通部１７から側板下端部の切欠部４ａを通して壁に設けられたコンセントに接続する。さらに、図示しない電話線などの外部接続ケーブルも、前記
同様にケーブル挿通部を通して接続する。また、機器同士を接続するケーブルも、必要に応じてケーブル挿通部を利用してそれぞれ接続する。
【００１４】
これらのケーブルの接続は、機器収納棚８が本体部背面に開放された状態となっているため、電話台１を壁から離すことによって容易に行うことができる。また、機器設置後に電話台１の背面を壁に密着させることにより、普段は使用しない機器や接続用のケーブルが電話台１の背面に隠れた状態になり、最小限の電源ケーブルや電話線などが見えるだけになるので、電話台１の周辺の美観を向上させることができる。
【００１５】
また、電話台１の底部となる側板下端部の切欠部４ａから天板後端中央部の切欠部２ａまでがケーブル挿通部１７を介して連通した状態になっているため、機器収納棚８に収納した機器が発熱しても、空気が電話台１の背面部を自然に流通することによって冷却することができるので、発熱によって機器が高温となることを確実に防止できる。
【００１６】
一方、電話台１の正面側の収納部７は、機器を収納する必要がなく、ケーブルの配線や機器の発熱を考慮しなくてもよいため、任意の収納方式を採用することができ、本形態例に示すように、開き戸式、引き出し式、開放式などを適宜組み合わせることが可能なため、使用者のニーズに応じた収納方式を有する電話台１を提供することができる。さらに、底板３の下面に適当なキャスターを設けておくことにより、電話台１の移動を容易に行うことができる。
【符号の説明】
【００１７】
１    電話台
２    天板
２ａ  切欠部
３    底板
４    側板
４ａ  切欠部
５    背板
６    本体部
７    収納部
８    機器収納棚
８ａ  棚板
９    開き戸式収納部
９ａ  棚板
１０    引き出し式収納部
１１    開放式収納部
１２    引き出し式収納部
１３    複合機
１４    機器載置部
１５    機器収納部
１６    テーブルタップ設置部
１７    ケーブル挿通部
１８    落下防止具
２１    モデム
２２    ルーター
２３    電源ケーブル
２４    テーブルタップ
２５    電源ケーブル
【図１】
0003154174.tif 000003
【図２】
0003154174.tif 000004
【図３】
0003154174.tif 000005